(57)【要約】【課題】施工が容易で、雨漏りも発生しない、ソーラーパネル取付け構造を提供する。【解決手段】建築物の屋根２２上に構築されているソーラーパネル取付け構造２０は、着磁性を有する金属製の葺上材１５及びカバーキャップ１６などで葺かれた屋根２２上に吸着された複数の磁石２４と、それぞれの磁石２４に立設された支持脚２５と、複数の支持脚２５によって支持されたソーラーパネル２３と、を備えている。また、支持脚２５の支持高さを変更するための伸縮手段として、支持脚２５の外周に雄ねじ部２５ａが設けられ、磁石２４に支持脚１５を回転自在に支える軸受けが設けられ、ソーラーパネル２３の支持フレーム２３ａに支持脚２５の雄ネジ部２５ａと螺合する雌ネジ部が設けられている。【選択図】図２
2012107449.tif 000002
【特許請求の範囲】
【請求項１】
着磁性を有する金属材で葺かれた屋根に吸着された磁石と、前記磁石に立設された支持脚と、前記支持脚によって支持されたソーラーパネルとを備えたことを特徴とするソーラーパネル取付け構造。
【請求項２】
前記支持脚の支持高さを変更可能な伸縮手段を設けた請求項１記載のソーラーパネル取付け構造。
【請求項３】
前記伸縮手段として、ネジ式の伸縮機構を設けた請求項２記載のソーラーパネル取付け構造。
【発明の詳細な説明】
【技術分野】
【０００１】
本発明は、着磁性を有する金属板で葺かれた屋根にソーラーパネルを設置する際に用いられるソーラーパネル取付け構造に関する。
【背景技術】
【０００２】
着磁性を有する金属板の一つである鋼板で葺かれた屋根にソーラーパネルを設置する際の取付け構造については、従来、様々な方式が開発されているが、本願発明に関連するものとして、例えば、特許文献１記載の「ソーラーパネル取付け装置」がある。
【０００３】
この「ソーラーパネル取付け装置」は、屋根の勾配方向に沿って間隔をあけて固定される固定ボルト付きの複数の固定部材と、前記固定部材によって屋根の勾配方向に沿って固定される複数の縦フレームと、前記縦フレーム上にこれと直交して固定される複数の横フレームと、最上段の前記横フレームと屋根の棟との間に取り付けられる棟カバーとを備え、前記横フレームの間にソーラーパネルが取り付けられる。
【先行技術文献】
【特許文献】
【０００４】
【特許文献１】特開２００９−９１８１１号公報
【発明の概要】
【発明が解決しようとする課題】
【０００５】
特許文献１記載の「ソーラーパネル取付け装置」は、複数の固定部材、縦フレーム及び横フレームなどで構成されているため、施工の際には多くの資材が必要であり、資材の搬入作業及び取付け作業などにも多大な時間と労力を要する。
【０００６】
また、固定部材を固定するためのビス孔を屋根（カラー鋼板やスレート板など）に開設しなければならず、ビス孔部分には雨水浸入防止用のコーキングを施す必要があり、取付け作業時間の増大を招いている。さらに、コーキングの経時劣化により、雨漏りが発生することがある。
【０００７】
本発明が解決しようとする課題は、施工が容易で、雨漏りも発生しない、ソーラーパネル取付け構造を提供することにある。
【課題を解決するための手段】
【０００８】
本発明のソーラーパネル取付け構造は、着磁性を有する金属材で葺かれた屋根に吸着された磁石と、前記磁石に立設された支持脚と、前記支持脚によって支持されたソーラーパネルと、を備えたことを特徴とする。
【０００９】
このような構成とすれば、磁石の吸着力で屋根上に固定された支持脚にソーラーパネルを固定することができ、施工作業の際に、屋根に孔を開設したり、ネジや釘などを使用したりする必要もないので、施工が容易であり、雨漏りが発生することもない。磁石の種類は限定しないが、例えば、フェライト系マグネットなどが好適である。
【００１０】
また、前記支持脚の支持高さを変更可能な伸縮手段を設ければ、施工現場の屋根に凹凸がある場合、伸縮手段で支持脚の支持高さを変更することによってソーラーパネルを適切な姿勢に保持することが可能となるので、施工性が向上する。
【００１１】
ここで、前記伸縮手段として、ネジ式の伸縮機構を設ければ、ネジの回転という簡単な作業で支持脚の支持高さを変更可能となるので、施工性がさらに向上する。
【発明の効果】
【００１２】
本発明により、施工が容易で、雨漏りも発生しない、ソーラーパネル取付け構造を提供することができる。
【図面の簡単な説明】
【００１３】
【図１】本発明の実施形態であるソーラーパネル取付け構造を示す斜視図である。
【図２】図１に示す建築物の軒先側から見た図である。
【図３】図２に示す支持脚付近の部分拡大図である。
【図４】図１のＡ−Ａ線における分解斜視図である。
【発明を実施するための形態】
【００１４】
以下、図面に基づいて、本発明の実施形態について説明する。図１に示すように、本実施形態のソーラーパネル取付け構造２０は建築物２１の屋根２２上に構築されている。図２に示すように、ソーラーパネル取付け構造２０は、着磁性を有する金属製の葺上材１５及びカバーキャップ１６などで葺かれた屋根２２上に吸着された複数の磁石２４と、それぞれの磁石２４に立設された支持脚２５と、複数の支持脚２５によって支持されたソーラーパネル２３と、を備えている。
【００１５】
また、支持脚２５の支持高さを変更するための伸縮手段として、図３に示すように、支持脚２５の外周に雄ねじ部２５ａを設け、磁石２４に支持脚２５を回転自在に支える軸受け２７を設け、ソーラーパネル２３の支持フレーム２３ａに支持脚２５の雄ネジ部２５ａと螺合する雌ネジ部２８を設けている。
【００１６】
ソーラーパネル取付け構造２０においては、磁石２４の吸着力で屋根２２上に固定された複数の支持脚２５によってソーラーパネル２３を固定することができるため、施工作業の際に、屋根２２に孔を開設したり、ネジや釘などを使用したりする必要がなく、施工が容易であり、雨漏りが発生することもない。また、磁石２４はその吸着力以上の力を加えれば屋根２２から離脱可能であり、屋根２２に孔を残すこともないので、施工後にソーラーパネル２３の移動や取り換えが必要となった場合にも容易に対応することができる。
【００１７】
また、支持脚２５の支持高さを変更可能な伸縮手段として、ネジ式の伸縮機構（軸受け２７，雄ねじ部２５ａ，雌ねじ部２８）を設けているため、施工現場の屋根２２に凹凸があっても、支持脚２５を回転させてその支持高さを変更することによってソーラーパネル２３を適切な姿勢に保持することができる。この場合、支持脚２５の雄ねじ部２５ａを回転させるという簡単な作業で支持脚２５の支持高さを変更することができるので、施工性も良好である。
【００１８】
ここで、図４に基づいて、建築物２１の屋根２２の構造について説明する。図４に示すように、屋根２２は、勾配方向Ｒの谷溝１１を設けた状態で建築物２１（図１参照）の一部に敷設された下地合板１２と、谷溝１１内に凹溝部１３ａを嵌め込んだ状態で下地合板１２上に配置されたジョイントベース１３と、ジョイントベース１３の凹溝部１３ａ内に配置されたスプリングキャッチャー１４と、勾配方向Ｒと平行をなす辺縁部１５ａ同士をスプリングキャッチャー１４上で対向させた状態でジョイントベース１３上及び下地合板１２上に敷設された複数の葺上材１５と、葺上材１５の辺縁部１５ａ同士の隙間Ｐを覆うカバー部１６ｂ及び隙間Ｐを通過してスプリングキャッチャー１４に嵌入される凸条部１６ａを有するカバーキャップ１６と、を備え、葺上材１５の辺縁部１５ａの上面と、カバーキャップ１６のカバー部１６ｂの下面とを防水性を有する両面粘着テープ１７で貼着している。
【００１９】
下地合板１２は、下部合板１２ａと、その上に一定間隔ごとに配置された複数の上部合板１２ｂとで構成され、隣り合う上部合板１２ｂの間に谷溝１１が形成されている。谷溝１１を含む下地合板１２上面全体を覆うようにポリエチレンシート１８が敷設され、このポリエチレンシート１８上にジョイントベース１３が配置されている。
【００２０】
ジョイントベース１３は、スプリングキャッチャー１４を把持するための部材であり、下地合板１２の谷溝１１内に嵌め込まれる凹溝部１３ａと、この凹溝部１３ａの両側にそれぞれ略水平方向に延設された側縁部１３ｂと、を有するとともに、凹溝部１３ａの前縁部１３ｆ及び後縁部１３ｒが当該凹溝部１３ａを横断する方向に切断された形状である。また、凹溝部１３ａの底面には、勾配方向Ｒに沿って断面Ｕ字状の複数の補強用凸条１３ｅが設けられている。
【００２１】
スプリングキャッチャー１４は、葺上材１５及びカバーキャップ１６を保持するための部材であり、ジョイントベース１３の凹溝部１３ａ内に配設され、カバーキャップ１６の凸条部１６ａを把持するために形成された溝部１４ａと、葺上材１５の辺縁部１５ａを保持するために溝部１４ａの両側に延設された平坦部１４ｂと、平坦部１４ｂを溝部１４ａとともに支持するために平坦部１４ｂの側縁に沿って溝部１４ａと同方向へ突設された脚部１４ｃと、を有する。
【００２２】
カバーキャップ１６においては、帯状板材の長手方向の両側縁部をそれぞれ裏面側へ略１８０度折り曲げることによってカバー部１６ｂが形成され、対向する両側縁部同士を裏面と略９０度をなす方向へ折り曲げるとともに、両側縁部をそれぞれ、く字状断面、逆く字状断面をなすように折り曲げることによって長手方向の空洞１６ｃを内包した凸条部１６ａが形成されている。
【００２３】
複数の葺上材１５は、勾配方向Ｒと平行をなす辺縁部１５ａ同士をスプリングキャッチャー１４上で対向させた状態でジョイントベース１３上及び下地合板１２上に敷設された発泡ポリエチレンシート１２上を覆うように敷設される。この後、対向する葺上材１５の辺縁部１５ａの上面にそれぞれ両面粘着テープ１７を貼り付け、カバーキャップ１６の凸条部１６ａを、葺上材１５の上面からその辺縁部１５ａ同士の隙間Ｐを通過してスプリングキャッチャー１４の溝１４ａに嵌入させると、カバーキャップ１６のカバー部１６ｂの下面が両面粘着テープ１７の上面に貼り付き、辺縁部１５ａ同士が、カバーキャップ１６を介して接続された状態で葺上材１５が固定される。
【００２４】
図４に示すように、葺上材１５の辺縁部１５ａの上面と、カバーキャップ１６のカバー部１６ｂの下面と、の隙間が両面粘着テープ１７で塞がれ且つ固着された状態となるため、長期間が経過しても前記隙間が拡がることがなく、雨水や塵埃などの浸入も生じないので、長期間にわたって優れた耐久性を発揮する。
【００２５】
なお、図４においては、葺上材１５の辺縁部１５ａの上面にそれぞれ両面粘着テープ１７を貼り付けた後、カバーキャップ１６を取り付けているが、これに限定しないので、カバー部１６ｂの下面に予め両面粘着テープ１７を貼り付けた状態としたカバーキャップ１６を、葺上材１５の上面から取り付け、葺上材１５の辺縁部１５ａの上面にそれぞれ両面粘着テープ１７を貼り付けることもできる。
【００２６】
なお、前述した屋根２２は、本発明のソーラーパネル取付け構造を施工可能な屋根の一例を示すものであり、本発明のソーラーパネル取付け構造が施工可能な屋根をこれに限定するものではないので、着磁性を有する金属材で葺かれた屋根に対して広く施工可能である。
【産業上の利用可能性】
【００２７】
本発明のソーラーパネル取付け構造は、着磁性を有する金属板で葺かれた屋根を備えた建築物にソーラーパネルを固定する手段として、広く利用することができる。
【符号の説明】
【００２８】
１１  谷溝
１１ｆ  前端部
１２  下地合板
１２ａ  下部合板
１２ｂ  上部合板
１３  ジョイントベース
１３ａ  凹溝部
１３ｂ  側縁部
１３ｅ  補強用凸条
１３ｆ  前縁部
１３ｒ  後縁部
１４  スプリングキャッチャー
１４ａ  溝部
１４ｂ  平坦部
１４ｃ  脚部
１５  葺上材
１５ａ  辺縁部
１６  カバーキャップ
１６ａ  凸条部
１６ｂ  カバー部
１６ｃ  空洞
１７  両面粘着テープ
１８  ポリエチレンシート
２０  ソーラーパネル取付け構造
２１  建築物
２２  屋根
２３  ソーラーパネル
２４  磁石
２５  支持脚
２５ａ  雄ネジ部
２７  軸受け
２８  雌ネジ部２８
Ｒ  勾配方向
【図１】
2012107449.tif 000003
【図２】
2012107449.tif 000004
【図３】
2012107449.tif 000005
【図４】
2012107449.tif 000006